(57)【要約】【課題】ユーザからの国指定がなくとも、チャンネルサーチを自動的に行うことを課題とする。【解決手段】ＤＴＶ受信機では、放送局から送信される放送信号を受信する複数のブランチを有し、放送信号を再生する場合には、４つのブランチでダイバーシティを構成することを基本とする一方で、チャンネルサーチを行う場合には、かかるダイバーシティ構成を分離し、各ブランチに異なる帯域幅でチャンネルサーチを実行させることとした。【選択図】図３
2010283531.tif 000002
【特許請求の範囲】
【請求項１】
受信可能な放送チャンネルを検出する機能を有する受信装置であって、
放送局から送信される放送信号を受信する複数のブランチと、
前記複数のブランチを複数のブランチグループにグループ分けするグループ分け手段と、
前記グループ分け手段によってグループ分けされた各ブランチグループにそれぞれ異なる周波数帯域幅で前記放送チャンネルをサーチさせるサーチ制御手段と
を有することを特徴とする受信装置。
【請求項２】
前記グループ分け手段によってグループ分けされた各ブランチグループから受信強度を取得する受信強度取得手段を有し、
前記グループ分け手段は、前記受信強度取得手段によって取得された受信強度が低くなるにしたがって、前記放送チャンネルのサーチに用いるブランチグループの構成ブランチ数が多くなるようにグループ分けすることを特徴とする請求項１に記載の受信装置。
【請求項３】
各ブランチグループのサーチ結果として複数の国情報が得られた場合に、チャンネル情報を国別に表示させる表示制御手段をさらに有することを特徴とする請求項１または２に記載の受信装置。
【請求項４】
受信可能な放送チャンネルを検出する機能を有する受信装置の放送チャンネル検出方法であって、
放送局から送信される放送信号を受信する複数のブランチを複数のブランチグループにグループ分けするグループ分け工程と、
前記グループ分け工程によってグループ分けされた各ブランチグループにそれぞれ異なる周波数帯域幅で前記放送チャンネルをサーチさせるサーチ制御工程と
を含んだことを特徴とする放送チャンネル検出方法。
【発明の詳細な説明】
【技術分野】
【０００１】
本発明は、受信可能な放送チャンネルを検出する機能を有する受信装置及びその放送チャンネル検出方法に関する。
【背景技術】
【０００２】
従来より、ＤＴＶ（デジタルテレビジョン）受信機には、自装置で受信可能な放送局の搬送波周波数（以下、「放送チャンネル」と記載）をサーチするチャンネルサーチを行い、チャンネルサーチで得られた放送チャンネルをメモリ等の記憶デバイスに設定登録するオートプリセット機能が搭載されている。
【０００３】
このオートプリセット機能を有するＤＴＶ受信機では、ユーザによって放送チャンネルが選択された場合に、選択された放送チャンネルをその都度サーチする必要がなく、メモリに記憶している放送チャンネルの中からユーザに選択された放送チャンネルを即座に選択して放送を受信できるため、迅速な放送チャンネル切替が可能である。
【０００４】
かかるＤＴＶ受信機としては、たとえば特許文献１には、複数のブランチを有するデジタル放送受信機で、各ブランチ単位でチャンネルサーチを行う放送チャンネル検出装置が開示されており、また、特許文献２には、デジタル放送を受信設定されている設定国とその周辺国の周波数の帯域幅に基づいて各国のチャンネルを順次サーチする放送受信装置が開示されている。
【先行技術文献】
【特許文献】
【０００５】
【特許文献１】特開２００６−１３６８９号公報
【特許文献２】特開２００８−２４５１６９号公報
【発明の概要】
【発明が解決しようとする課題】
【０００６】
しかしながら、上記の特許文献１及び特許文献２は、いずれもユーザ自身から国の指定を受け付けることを前提としたものであり、この国指定がなくしてはサーチする周波数帯域幅が定まらず、チャンネルサーチ自体を実行することができないという問題があった。
【０００７】
そこで、本発明は、上述した従来技術による課題を解消するためになされたものであり、ユーザからの国指定がなくともチャンネルサーチを自動的に行うことができる受信装置及びその放送チャンネル検出方法を提供することを目的とする。
【課題を解決するための手段】
【０００８】
上述した課題を解決し、目的を達成するために、本発明に係る受信装置は、受信可能な放送チャンネルを検出する機能を有する受信装置であって、放送局から送信される放送信号を受信する複数のブランチと、前記複数のブランチを複数のブランチグループにグループ分けするグループ分け手段と、前記グループ分け手段によってグループ分けされた各ブランチグループにそれぞれ異なる周波数帯域幅で前記放送チャンネルをサーチさせるサーチ制御手段とを有することを特徴とする。
【発明の効果】
【０００９】
本発明によれば、各ブランチグループに想定し得る全ての帯域幅でチャンネルサーチを並行して実行させる結果、その中にはデジタルテレビ受信機の所在国の帯域幅を含めてチャンネルサーチを実行でき、ユーザからの国指定がなくともチャンネルサーチを自動的に行うことが可能になる。
【図面の簡単な説明】
【００１０】
【図１】図１は、本実施例に係るＤＴＶ受信機の構成を示す機能ブロック図である。
【図２】図２は、ブランチのグループ分けを説明するための説明図である。
【図３】図３は、グループごとのチャンネルサーチの帯域幅の違いを説明するための説明図である。
【図４】図４は、グルーピングの一例を示す図である。
【図５】図５は、グルーピングの一例を示す図である。
【図６】図６は、チャンネル表示画面の一例を示す図である。
【図７】図７は、チャンネル表示画面の一例を示す図である。
【図８】図８は、本実施例に係るチャンネルサーチ制御処理の手順を示すフローチャートである。
【図９】図９は、本実施例に係るチャンネルサーチ処理の手順を示すフローチャートである。
【発明を実施するための形態】
【００１１】
以下に添付図面を参照して、本発明に係る受信装置及びその放送チャンネル検出方法の好適な実施例を詳細に説明する。なお、以下では、車載用のＤＴＶ受信機デジタルテレビジョン）に本発明を適用する場合を例示するが、車載であるか否かを問わず本発明を同様に適用できる。
【実施例１】
【００１２】
まず、本実施例に係るＤＴＶ受信機の概要を説明する。図１は、本実施例に係るＤＴＶ受信機の構成を示す機能ブロック図である。同図に示すように、ＤＴＶ受信機１は、オーディオ一体型カーナビゲーションシステム（ＡＶＮ）３に接続される車載用のデジタルテレビ受信機である。
【００１３】
ＡＶＮ３は、スピーカ等の音声出力部やタッチパネル等のディスプレイなどの各種のデバイスを有しており、ＤＴＶ受信機１でデコードされた放送信号を音声出力および映像出力したり、また、ユーザが視聴するチャンネルの変更操作を受け付けてＤＴＶ受信機１にチャンネル変更指示を転送したりする。
【００１４】
ＤＴＶ受信機１は、ダイバーシティ方式を採用しており、放送局から送信されるデジタルテレビ信号（以下、「放送信号」という。）を受信するブランチ１０、ブランチ２０、ブランチ３０、ブランチ４０という４つの受信系統を有する。
【００１５】
なお、本実施例では、ＤＴＶ受信機１に４つの受信系統を設けているが、ＤＴＶ受信機１に設ける受信系統の数は４つに限定するものではなく、少なくとも２系統以上であれば、任意の数の受信系統を設けても構わない。
【００１６】
このＤＴＶ受信機１の詳細な構成については後述するが、このＤＴＶ受信機１のブランチ１０は、図２に示すアンテナからの受信信号を検波・増幅するＲＦ／ＩＦ部１１と、所定の変調方式によって変調された放送信号を復調する復調部１２とを有する。
【００１７】
また、ブランチ２０も同様に、ＲＦ／ＩＦ部２１、復調部２２を有し、ブランチ３０も、ＲＦ／ＩＦ部３１、復調部３２を有し、ブランチ４０も、ＲＦ／ＩＦ部４１、復調部４２を有している。
【００１８】
このように、ＤＴＶ受信機１では、ユーザにより選択された放送チャンネルで放送信号を受信する場合に、これら複数の受信系統で同一の放送チャンネルの放送信号を受信し、各受信系統で受信された放送信号を合成することによって放送信号に含まれるノイズを除去するダイバーシティ方式を採用している。
【００１９】
ここで、本実施例では、複数のブランチ１０〜４０を複数のブランチグループにグループ分けし、グループ分けした各ブランチグループにそれぞれ異なる周波数帯域幅で放送チャンネルをサーチさせる点にその特徴がある。
【００２０】
すなわち、上記の従来技術は、いずれも設定国以外の帯域幅でチャンネルサーチを行うのは非効率であるとの思想の下、ユーザに国指定を委ねるものであり、その中には、ユーザからの国指定がなくともチャンネルサーチを自律的に行うという着想はない。
【００２１】
このため、上記の従来技術では、ＤＴＶ受信機が車両等の移動体に搭載されている場合に、受信可能な放送チャンネルが変化したならば、ユーザが国指定をもう一度行わねばならない。さらには、ユーザによる国指定を必要とするばかりか、ＤＴＶ受信機１が所在する位置によっては、複数国の放送チャンネルを受信できる状態であったとしても、設定国のチャンネルサーチしか実行できないため、受信可能な放送チャンネル全てをユーザに提示することもできない。
【００２２】
そこで、本実施例では、各国放送の帯域幅が異なる点に着目し、放送信号を再生する場合には、４つのブランチ１０〜４０でダイバーシティを構成することを基本とする一方で、チャンネルサーチを行う場合には、かかるダイバーシティ構成を分離し、各ブランチ１０〜４０に異なる帯域幅でチャンネルサーチを実行させることとした。
【００２３】
これを具体的に説明すると、ＤＴＶ受信機１は、図２に示すように、チャンネルサーチを行うに際して、４系統ある受信系統を４つのブランチグループに分割する。例えば、図２の例で言えば、後述のグルーピング処理部１３０が４系統ある受信系統をブランチ１０で構成されるグループＡと、ブランチ２０で構成されるグループＢと、ブランチ３０で構成されるグループＣと、ブランチ４０で構成されるグループＤという４つのブランチグループにグループ分けする。
【００２４】
その上で、ＤＴＶ受信機１は、グループＡ〜グループＤにそれぞれ異なる周波数帯域幅で放送チャンネルのサーチを実行させる。
【００２５】
例えば、図３に示す例では、ＵＨＦ（Ultra−High  Frequency）帯の放送チャンネルをサーチする場合を例示している。このＵＨＦの場合には、５ＭＨｚ、６ＭＨｚ、７ＭＨｚ、８ＭＨｚの４種の帯域幅が放送局が送信する際の規格として定められている。
【００２６】
この図３の例では、ＤＴＶ受信機１は、グループＡ〜グループＤのいずれにおいてもサーチを開始する周波数（以下、サーチ開始周波数と記載）を４７０ＭＨｚ共通とし、グループＡには、帯域幅を８ＭＨｚとしてサーチする周波数を４７０ＭＨｚから８ＭＨｚずつ上昇させてサーチ周波数がサーチ終了周波数とする８６２ＭＨｚのサーチを完了するまでチャンネルサーチを繰り返し実行させ、グループＢには、帯域幅を７ＭＨｚとしてチャンネルサーチを同様に実行させ、グループＣには、帯域幅を６ＭＨｚとしてチャンネルサーチを同様に実行させ、また、グループＤには、帯域幅を５ＭＨｚとしてチャンネルサーチを同様に実行させる。なお、以下では、帯域幅８ＭＨｚのサーチをサーチＡ、以下同様にしてサーチＢ、サーチＣ、サーチＤという。
【００２７】
このように、本実施例では、各ブランチグループ（この場合は各ブランチ）に想定し得る全ての帯域幅でチャンネルサーチを並行して実行させるので、その中にはＤＴＶ受信機１の所在国の帯域幅を含めてチャンネルサーチを実行でき、ユーザからの国指定がなくともチャンネルサーチを自動的に行うことが可能になる。また、各ブランチグループで並行してサーチＡ〜サーチＤを実行するので、全てのブランチでダイバーシティを構成して設定国１種類の帯域幅のチャンネルサーチを行う場合と同等の速さでチャンネルサーチを実行できる。
【００２８】
さらに、これに関連して、ＤＴＶ受信機１の所在国の放送チャンネルだけでなく、複数国の放送チャンネルが受信可能である場合に、ＤＴＶ受信機１が受信可能な放送チャンネルを洩らすことなくサーチできる。
【００２９】
また、本実施例では、ＡＶＮ３に搭載されるＧＰＳなどからＤＴＶ受信機１が所在する位置情報を取得せずとも、ＤＴＶ受信機１が独立してチャンネルサーチを行うことができる。
【００３０】
次に、本実施例に係るＤＴＶ受信機の構成について説明する。なお、図１では、本実施例に係るＤＴＶ受信機の特徴を説明するために必要な構成要素のみを示しており、一般的な構成要素についての記載を省略している。
【００３１】
図１に示すように、このＤＴＶ受信機１は、ブランチ１０〜４０と、ダイバ切替部５０と、デコーダ６０と、ＤＴＶ制御用マイコン１００とを有する。
【００３２】
ブランチ１０は、それ単体で放送信号を受信可能な一つの受信系統を構成するものであり、ＲＦ／ＩＦ部１１と、復調部１２と、番組情報取得部１３とを有する。なお、ここで言うブランチとは、各アンテナに対応して設けられた受信信号処理用の回路や処理部のことを指す。
【００３３】
また、ブランチ２０、ブランチ３０及びブランチ４０においても、上記のブランチ１０と同様にして構成される受信系統であり、各々のブランチ２０〜４０にＲＦ／ＩＦ部２１、３１及び４１と、復調部２２、３２及び４２と、番組情報取得部２３、３３及び４３とをそれぞれ有する。
【００３４】
これらブランチ１０〜４０は、いずれも同様の構成を有するため、ここでは、ブランチ１０の構成についてのみ説明することとする。
【００３５】
ＲＦ／ＩＦ部１１は、後述するサーチ制御部１４０から入力される制御信号により指定された放送チャンネルの放送信号をアンテナに受信させる同調回路である。本実施例では、このＲＦ／ＩＦ部１１は、ＯＦＤＭ（Orthogonal  Frequency  Division  Multiplexing：直交波周波数分割多重）変調された放送信号を受信して、その放送信号を復調部１２へ出力する。
【００３６】
復調部１２は、ＲＦ／ＩＦ部１１から入力される放送信号をＯＦＤＭ復調することによってＴＳ（Transport  Stream）パケットに返還して番組情報取得部１３へ出力する処理部である。ＯＦＤＭ復調は公知の技術であるため、ここではその説明を省略する。
【００３７】
番組情報取得部１３は、復調部１２によって入力される放送信号をもとに、放送局の有無判定および国情報を含む番組情報の取得等の処理を行う処理部である。
【００３８】
これを具体的に説明すると、番組情報取得部１３は、復調部１２によって入力される放送信号からＴＭＣＣ（Transmission  and  Multiplexing  Configuration  and  Control：伝送制御情報）を取得し、その取得結果に基づいて、ＲＦ／ＩＦ部１１に設定されているスキャン中の放送チャンネルに放送局が存在するか否かを判定する。なお、他のブランチとの間でダイバーシティを構成している場合には、ダイバーシティを構成する他のブランチで受信される放送信号との間で位相同期をとって本処理およびそれ以降の処理を行う。
【００３９】
かかるＴＭＣＣは、放送信号の複合化に必要な伝送パラメータ情報等が含まれた情報群により構成されており、各放送局から３００ｍｓ周期程度の比較的短い時間間隔で送信される情報である。
【００４０】
番組情報取得部１３は、ＲＦ／ＩＦ部１１に設定されているスキャン中の放送チャンネルでこのＴＭＣＣの取得に成功した場合には、その放送チャンネルに放送局が存在すると判定し、所定時間（例えば、３００ｍｓ）が経過してもＴＭＣＣを取得できなかった場合に、スキャン中の放送チャンネルに放送局が存在しないと判定する。
【００４１】
番組情報取得部１３は、放送局が存在すると判定した場合に、放送チャンネルの放送信号から番組情報等として、ＰＳＩ（Program  Specific  Information）／ＳＩ（Service  Information）等を取得する。なお、ＰＳＩには、ＮＩＴ（Network  Information  Table）、ＰＡＴ（Program  Association  Table）、ＰＭＴ（Program  Map  Table）が含まれる。
【００４２】
ＰＳＩ（番組特定情報）またはＳＩ（番組配列情報）には、国情報が含まれている。また、ＮＩＴには、放送信号を受信した放送チャンネルの周波数情報、変調方式、ガードインターバル等、ネットワークに関する情報が含まれている。また、ＰＭＴには、放送中の番組の音声や映像を構成する各パケットを識別するためのＰＩＤ（パケットＩＤ）等が含まれている。また、ＰＡＴには、あるＴＳ内に含まれる番組の一覧がＰＭＴのＰＩＤ一覧として格納されている。
【００４３】
番組情報取得部１３は、これらＰＳＩ／ＳＩ等の情報と、これらの情報を取得した放送信号に対応する放送チャンネルとを紐付け、該紐付けた情報とともに当該放送チャンネルの放送信号における受信強度をサーチ結果としてプリセット制御部１５０へ出力する。なお、放送局が存在しないと判定した場合には、該当放送局なしとするサーチ結果をプリセット制御部１５０へ出力する。
【００４４】
ダイバ切替部５０は、後述するグループピング処理部１３０からの指示に基づき、ブランチ１０〜４０を複数のブランチグループに分割するスイッチング手段である。なお、ダイバーシティの構成および分離は公知の技術であるため、ここでは簡単に説明する。
【００４５】
すなわち、ダイバ切替部５０は、ブランチ１０〜４０のうち任意の２つをブランチＡ及びＢとした時に、一方のブランチＡの復調部から他方のブランチＢの復調部へ結線される導線を導通または遮断する復調部間スイッチをＯＮ制御することにより復調部間を導通させるとともにブランチＢの復調部からその後段の処理部（番組情報取得部）へ結線される導線を導通または遮断する後段接続スイッチをＯＦＦ制御することにより後段への接続を遮断することで、複数のブランチ間でダイバーシティを構成したり、その逆のスイッチング制御を行うことによりダイバーシティを分離したりする。
【００４６】
なお、以下では、復調部１２及び復調部２２、復調部２２及び復調部３２、復調部３２及び復調部４２の間にそれぞれ復調部間スイッチを設けた場合について説明するが、復調部間スイッチは任意の復調部間の組合せを対象に設置することができる。
【００４７】
例えば、ブランチ１０をグループＡ、ブランチ２０をグループＢ、ブランチ３０をグループＣ、ブランチ４０をグループＤとするグルーピング指示がなされた場合（図２参照）には、全ての復調部間スイッチをＯＦＦ制御するとともに全ての後段接続スイッチをＯＮ制御することにより、各ブランチ１０〜４０を独立して動作させる。
【００４８】
また、ブランチ１０及びブランチ２０をグループＡとし、ブランチ３０及びブランチ４０をグループＢとするグルーピング指示がなされた場合（図４参照）には、復調部１２及び復調部２２間のスイッチをＯＮ制御するとともに復調部２２及び復調部３２間のスイッチをＯＦＦ制御し、さらに、ブランチ１０またはブランチ２０のいずれかの後段接続スイッチをＯＮ制御することにより、ブランチ１０及びブランチ２０からなるグループＡのダイバーシティを構成する。さらに、同様にして、ブランチ３０及びブランチ４０からなるグループＢのダイバーシティを構成する。
【００４９】
なお、全ブランチ１０〜４０をグループＡとするグルーピング指示がなされた場合（図５参照）には、全ての復調部間スイッチをＯＮ制御するとともにブランチ１０〜４０の後段接続スイッチのいずれか一つだけをＯＮ制御することにより、全てのブランチで１つのダイバーシティを構成する。
【００５０】
デコーダ６０は、番組情報取得部１３から入力された放送信号（ＴＳパケット）を複合化処理するデコーダと、複合化された放送信号をＤ／Ａ（デジタル／アナログ）変換するＤ／Ａコンバータとを有する。
【００５１】
デコーダ６０のＤ／ＡコンバータによってＤ／Ａ変換された音声の放送信号は、ＡＶＮ３のスピーカへ出力されて出音され、映像の放送信号はＡＶＮ３のディスプレイへ出力されてテレビ画像として表示される。
【００５２】
ＤＴＶ制御用マイコン１００は、ＤＴＶ受信機１の全体制御を行うマイコンであり、プリセット情報記憶部１１０と、スケジュール情報記憶部１２０と、グルーピング処理部１３０と、サーチ制御部１４０と、プリセット制御部１５０とを有する。
【００５３】
プリセット情報記憶部１１０は、プリセット情報を記憶する不揮発性メモリ等の記憶デバイスである。具体的には、ＰＳＩ／ＳＩ等の情報と、これらの情報を取得した放送信号に対応する放送チャンネルとを関連付けてプリセット情報として記憶する。なお、このプリセット情報１１０は、プリセット制御部１５０によって書込、読出または消去が行われる。
【００５４】
スケジュール情報記憶部１２０は、プリセット制御部１５０によるプリセットのスケジュール情報を記憶する不揮発性メモリ等の記憶デバイスである。具体的には、サーチＡ、サーチＢ、サーチＣ及びサーチＤそれぞれにおいてサーチが完了している周波数（サーチ進行周波数）を進捗情報として記憶したり、また、サーチＡ〜サーチＤに割り当てられているブランチグループを割当情報として記憶したりする。
【００５５】
グルーピング処理部１３０は、複数のブランチ１０〜４０を複数のブランチグループにグループ分けする処理部である。具体的には、チャンネルサーチを行う場合に、ブランチ１０〜４０をグルーピングし、チャンネルサーチが完了するまでグルーピングの変更要否を監視し、グルーピングの変更が必要と判定した場合に、ブランチ１０〜４０のグルーピングを変更する。
【００５６】
例えば、チャンネルサーチ起動時は、図２に示すように、ブランチ１０で構成されるグループＡと、ブランチ２０で構成されるグループＢと、ブランチ３０で構成されるグループＣと、ブランチ４０で構成されるグループＤという４つのブランチグループにグループ分けする。なお、ここでは、チャンネルサーチ起動時に４つのブランチグループにグループ分けすることとしたが、ブランチ１０〜４０の受信強度によりグループ分けを行ってもよい。
【００５７】
また、グルーピング処理部１３０は、いずれかのブランチグループでサーチが完了した場合に、サーチが完了したブランチグループを他のサーチが完了していないブランチグループに編入するグルーピングを行う。
【００５８】
すなわち、たとえばＵＨＦ帯をサーチする場合には、帯域幅が５ＭＨｚ、６ＭＨｚ、７ＭＨｚ、８ＭＨｚとそれぞれ異なるサーチＡ〜サーチＢのコマンドを実行するため、各グループが同じタイミングでサーチ開始周波数からサーチを開始してもサーチ終了周波数に到達するまでに時間差が生じる。
【００５９】
このような場合に、グルーピング処理部１３０は、他のブランチグループよりも早くサーチが完了したブランチグループをサーチが完了していないブランチグループであって最も帯域幅が小さいブランチグループに編入する。
【００６０】
また、グルーピング処理部１３０は、ブランチグループからサーチ結果として通知される受信強度に応じて、ブランチグループの構成ブランチ数を変更する。
【００６１】
例えば、グルーピング処理部１３０は、放送信号の受信強度を「高」・「中」・「低」の３段階で判定し、その判定結果に応じた数のブランチを各ブランチグループに割当てるグルーピングを行う。
【００６２】
グルーピング処理部１３０は、放送信号の受信強度を「高」と判定した場合、図２に示すように、各ブランチグループ内のブランチ数を「１」とし、各ブランチ１０〜４０でダイバーシティを構成させずにそれぞれを独立してグループとする。
【００６３】
具体的には、グルーピング処理部１３０は、ブランチグループからサーチ結果として通知された放送信号の受信強度が「高」であると判定した場合、ブランチ１０によりグループＡを構成し、ブランチ２０によりグループＢを構成させ、ブランチ３０によりグループＣを構成させ、ブランチ４０によりグループＤを構成する。
【００６４】
これにより、全放送チャンネルの放送信号が全て受信強度「高」と判定されていた場合に、各放送信号を４系統全ての受信系統で受信してチャンネルサーチを行った場合と比べて、４つの帯域幅のサーチコマンドであるサーチＡ〜サーチＤを１／４の時間でサーチすることができる。
【００６５】
また、グルーピング処理部１３０は、放送信号の受信強度が「中」であると判定した場合、図４に示すように、各ブランチグループ内のブランチ数を「２」とし、２つのブランチでダイバーシティを構成してブランチグループを２組とする。
【００６６】
具体的には、グルーピング処理部１３０は、ブランチグループからサーチ結果として通知された放送信号の受信強度が「中」であると判定した場合、ブランチ１０とブランチ２０とによりグループＡを構成し、ブランチ３０とブランチ４０とによりグループＢを構成する。
【００６７】
これにより、全放送チャンネルの放送信号が全て受信強度「中」と判定されていた場合に、各放送信号を４系統全ての受信系統で受信してチャンネルサーチを行った場合と比べて、４つの帯域幅のサーチコマンドであるサーチＡ〜サーチＤを１／２の時間でチャンネルサーチを完了することができる。
【００６８】
さらに、受信強度が「中」と判定された放送信号については、同一の放送信号を２つの受信系統でダイバーシティ受信してチャンネルサーチするので、受信強度が「高」と判定された放送信号に比べてノイズの影響が予想される受信強度「中」の放送信号からダイバーシティ方式によるノイズ除去を行ってチャンネルサーチを行うことができる。
【００６９】
また、グルーピング処理部１３０は、受信した放送信号の受信強度を「低」と判定した場合、図５に示すように、ブランチグループ内のブランチ数を「４」とし、全てのブランチでダイバーシティを構成してブランチグループを１組とする。
【００７０】
具体的には、グルーピング処理部１３０は、ブランチグループからサーチ結果として通知された放送信号の受信強度が「低」であると判定した場合、ブランチ１０とブランチ２０とブランチ３０とブランチ４０とによりグループＡを構成する。
【００７１】
このため、受信強度が「高」と判定された放送信号に比べてノイズの影響により正常受信が困難な受信強度「低」の放送信号から全ブランチを使用したダイバーシティ方式によるノイズ除去を行ってチャンネルサーチさせることができるので、放送の受信が比較的困難な場所でも的確にチャンネルサーチを行うことができる。
【００７２】
サーチ制御部１４０は、グルーピング処理部１３０によってグループ分けされた各ブランチグループにそれぞれ異なる周波数帯域幅で放送チャンネルをサーチさせる処理部である。
【００７３】
例えば、チャンネルサーチ起動時には、グルーピング処理部１３０によってグループＡ〜グループＤの４つのグループにグルーピングされているので、各グループＡ〜Ｄにサーチ開始周波数４７０ＭＨｚを配信するとともに、グループＡの場合には、帯域幅８ＭＨｚを通知し、サーチする周波数を４７０ＭＨｚから８ＭＨｚずつ上昇させてサーチ周波数がサーチ終了周波数８６２ＭＨｚに到達するまでチャンネルサーチを繰り返し実行させる。なお、グループＢには、帯域幅７ＭＨｚ、グループＣには、帯域幅６ＭＨｚ、また、グループＤには、帯域幅５ＭＨｚを通知してチャンネルサーチを同様に実行させる。
【００７４】
また、サーチ制御部１４０は、グルーピング処理部１３０によってグループ変更が行われた場合に、各ブランチグループにサーチさせる周波数と帯域幅を再指示する。
【００７５】
例えば、ブランチ１０とブランチ２０とによりグループＡ、ブランチ３０とブランチ４０とによりグループＢが構成された場合（図４参照）には、スケジュール情報１２０記憶部に記憶されたサーチＡ、サーチＢ、サーチＣ及びサーチＤの進捗情報を参照して、サーチが未完了であるサーチコマンドのうち２つのサーチコマンドを選択し、該選択したサーチコマンドのサーチ進行周波数及び帯域幅を各ブランチグループＡ及びＢに指示する。なお、この時、サーチＡ〜サーチＤの中でＤＴＶ受信機１の所在国である蓋然性が高い帯域幅を過去の国判別結果から推定してサーチコマンドを優先して割り当ててもよい。
【００７６】
また、全てのブランチ１０〜４０でグループＡが構成された場合（図５参照）には、スケジュール情報１２０記憶部に記憶されたサーチＡ、サーチＢ、サーチＣ及びサーチＤの進捗情報を参照して、サーチが未完了であるサーチコマンドのうち１つのサーチコマンドを選択し、該選択したサーチコマンドのサーチ進行周波数及び帯域幅を各ブランチグループＡに指示する。
【００７７】
プリセット制御部１５０は、ブランチグループによるサーチ結果として得られたプリセット情報をプリセット情報記憶部１１０に登録する処理部である。具体的には、ブランチグループからサーチ結果が通知された場合に、スケジュール情報記憶部１２０に進捗情報として記憶されたサーチ進行周波数のうち、当該ブランチグループに対応するサーチコマンドのサーチ進行周波数を今回サーチされた周波数に更新し、サーチ結果としてプリセット情報が得られていた場合には、当該プリセット情報をプリセット情報記憶部１１０に登録する。
【００７８】
また、プリセット制御部１５０は、ＡＶＮ３からチャンネル情報の呼出し要求を受け付けた場合に、プリセット情報記憶部１１０に記憶されたプリセット情報をＡＶＮ３が具備するタッチパネル等の表示デバイスで表示させる。
【００７９】
このとき、プリセット情報に１カ国の国情報が含まれていた場合には、図６に示すように、チャンネル番号を表示させるとともに１つのチャンネルで２カ国以上の言語が含まれていたならば言語選択ボタンを併せて表示させる。また、プリセット情報に２カ国以上の国情報が含まれていた場合には、図７に示すように、チャンネル番号を国別に表示させるとともに１つのチャンネルで２カ国以上の言語が含まれていたならば言語選択ボタンを併せて表示させる。
【００８０】
このように、各ブランチグループのサーチ結果として複数の国情報が得られた場合に、チャンネル情報を国別に表示させることで、異なる国のチャンネル情報を混在表示することを防止するとともに２カ国以上の放送チャンネルが受信可能であることを明示することができる。
【００８１】
次に、本実施例に係るＤＴＶ受信機の処理の流れについて説明する。なお、ここでは、ＤＴＶ制御用マイコン１００によって行われる（１）チャンネルサーチ制御処理を説明してから、各ブランチグループによって行われる（２）チャンネルサーチ処理について説明することとする。
【００８２】
（１）チャンネルサーチ制御処理
前述したように、ここでは、本実施例に係るチャンネルサーチ制御処理について説明する。この処理は、ＤＴＶ受信機１が起動した場合、すなわちアクセサリがＯＮ状態になった場合に行われ、その後、ＡＶＮ３により視聴要求を受け付けるまでＡＶＮ３のバックグラウンドにおいて所定の周期で繰り返し行われる。
【００８３】
図８は、本実施例に係るチャンネルサーチ制御処理の手順を示すフローチャートである。図８に示すように、まず、グルーピング処理部１３０は、ブランチ１０で構成されるグループＡと、ブランチ２０で構成されるグループＢと、ブランチ３０で構成されるグループＣと、ブランチ４０で構成されるグループＤという４つのブランチグループにグルーピングし、当該グルーピングに対応するスイッチング制御を行うようにダイバ切替部５０に指示する（ステップＳ１０１）。
【００８４】
続いて、サーチ制御部１４０は、各グループＡ〜Ｄにサーチ開始周波数４７０ＭＨｚを通知するとともに、グループＡには帯域幅８ＭＨｚ、グループＢには帯域幅７ＭＨｚ、グループＣには帯域幅６ＭＨｚ、グループＤには帯域幅５ＭＨｚでチャンネルサーチを行うように指示し（ステップＳ１０２）、チャンネルサーチを開始させる（ステップＳ１０３）。
【００８５】
その後、いずれかのブランチグループからサーチ結果を受け付けると（ステップＳ１０４）、プリセット制御部１５０は、スケジュール情報記憶部１２０に進捗情報として記憶されたサーチ進行周波数のうち、当該ブランチグループに対応するサーチコマンドのサーチ進行周波数を今回サーチされた周波数に更新する（ステップＳ１０５）。
【００８６】
このとき、サーチ結果としてプリセット情報が得られていた場合（ステップＳ１０６肯定）には、プリセット制御部１５０は、当該プリセット情報をプリセット情報記憶部１１０に登録する（ステップＳ１０７）。なお、サーチ結果としてプリセット情報が得られていなかった場合（ステップＳ１０６否定）には、そのままステップＳ１０８に移行する。
【００８７】
そして、当該ブランチグループに対応するサーチコマンドが完了した場合、すなわちスケジュール情報記憶部１２０に記憶されたサーチ進行周波数が８６２ＭＨｚに到達した場合（ステップＳ１０８肯定）には、サーチＡ〜サーチＤの全てのサーチコマンドが終了しない限りは（ステップＳ１０９否定）、サーチが完了したブランチグループを他のサーチが完了していないグループに編入する（ステップＳ１１０）。
【００８８】
ここで、サーチ結果として得られた受信強度が現在のグルーピングに対応する受信強度「高」、「中」または「低」から変化した場合（ステップＳ１１１肯定）には、グルーピング処理部１３０は、変化後の受信強度「高」であればグループＡ〜Ｄ、「中」であればグループＡ及びＢ、或いは「低」であればグループＡとなるようにグルーピングし、当該グルーピングに対応するスイッチング制御を行うようにダイバ切替部５０に再指示する（ステップＳ１１２）。
【００８９】
そして、サーチ制御部１４０は、スケジュール情報記憶部１２０に記憶されたサーチＡ、サーチＢ、サーチＣ及びサーチＤの進捗情報を参照して、サーチが未完了であるサーチコマンドのうちブランチグループ数に対応するサーチコマンドを選択し、該選択したサーチコマンドのサーチ進行周波数及び帯域幅を各ブランチグループに指示し（ステップＳ１１３）、サーチ結果の待機状態に移行する（ステップＳ１０４）。
【００９０】
また、サーチ結果として得られた受信強度が現在のグルーピングに対応する受信強度「高」、「中」または「低」から変化しなかった場合（ステップＳ１１１否定）には、サーチ結果の待機状態に移行し（ステップＳ１０４）、上記のステップＳ１０５〜１０８までの処理を繰り返し行う。
【００９１】
そして、サーチＡ〜サーチＤの全てのサーチコマンドが終了した場合（ステップＳ１０９肯定）には、プリセット制御部１５０は、プリセット情報記憶部１１０に記憶されたプリセット情報をＡＶＮ３が具備するタッチパネル等の表示デバイスで表示させ（ステップＳ１１４）、視聴チャンネル待機状態となり処理を終了する。
【００９２】
（２）チャンネルサーチ処理
次に、本実施例に係るチャンネルサーチ処理について説明する。この処理は、サーチ制御部１４０によってサーチ開始周波数及び帯域幅がセットされるか、或いはサーチ進行周波数及び帯域幅が再セットされた場合に開始される。なお、ここでは、ブランチ１０を例示して、ダイバーシティを構成するブランチグループのうち復調後の放送信号が入力されるブランチの処理内容について説明することとする。
【００９３】
図９は、本実施例に係るチャンネルサーチ処理の手順を示すフローチャートである。同図に示すように、ブランチ１０は、サーチ制御部１４０による指示を受けて、サーチ開始周波数４７０ＭＨｚおよび帯域幅（８ＭＨｚ、７ＭＨｚ、６ＭＨｚまたは５ＭＨｚ）をＲＦ／ＩＦ部１１セットし（ステップＳ２０１）、チャンネルサーチを開始してＲＦ／ＩＦ部１１による受信信号の検波・増幅および復調部１２による放送信号の復調を行う（ステップＳ２０２）。
【００９４】
ここで、番組情報取得部１３は、復調部１１によって入力される放送信号からＴＭＣＣを取得し、その取得結果に基づいて、ＲＦ／ＩＦ部１１に設定されているスキャン中の放送チャンネルに放送局が存在するか否かを判定する（ステップＳ２０３）。
【００９５】
この結果、ＲＦ／ＩＦ部１１に設定されているスキャン中の放送チャンネルでこのＴＭＣＣの取得に成功した場合、すなわち放送局が存在する場合（ステップＳ２０３肯定）には、番組情報取得部１３は、放送チャンネルの放送信号からＰＳＩ／ＳＩ等の番組情報を取得する（ステップＳ２０４）。
【００９６】
そして、番組情報取得部１３は、これらＰＳＩ／ＳＩ等の情報と、これらの情報を取得した放送信号に対応する放送チャンネルとを紐付け、該紐付けた情報とともに当該放送チャンネルの放送信号における受信強度をサーチ結果としてプリセット制御部１５０に通知する（ステップＳ２０５）。なお、放送局が存在しない場合（ステップＳ２０３否定）には、該当放送局なしとするサーチ結果をプリセット制御部１５０に通知する。
【００９７】
その後、サーチ周波数がサーチ終了周波数８６２ＭＨｚに到達するまで（ステップＳ２０６否定）、現在のサーチ周波数に設定帯域幅を加算した値を次回のサーチ周波数とし（ステップＳ２０７）、上記のステップＳ２０２からステップＳ２０６の処理を繰り返し行い、サーチ周波数がサーチ終了周波数８６２ＭＨｚに到達した場合（ステップＳ２０６肯定）に処理を終了する。
【００９８】
上述してきたように、本実施例によれば、複数のブランチ１０〜４０を複数のブランチグループにグループ分けし、グループ分けした各ブランチグループにそれぞれ異なる周波数帯域幅で放送チャンネルをサーチさせるように構成したので、各ブランチグループに想定し得る全ての帯域幅でチャンネルサーチを並行して実行させる結果、その中にはデジタルテレビ受信機の所在国の帯域幅を含めてチャンネルサーチを実行でき、ユーザからの国指定がなくともチャンネルサーチを自動的に行うことが可能である。
【００９９】
また、上記の実施例では、サーチＡ〜サーチＤのサーチコマンドをサーチ開始周波数からサーチ終了周波数まで中断することなく実行する場合について説明したが、必ずしも全てのサーチコマンドを対象にチャンネルサーチを行う必要はない。
【０１００】
例えば、予め国別に帯域幅を記憶する国別帯域幅記憶部をＤＴＶ制御用マイコン１００に設けておき、番組情報取得部１３によってＰＳＩまたはＳＩから国情報が取得された時点で当該国に対応する帯域幅を国別帯域幅記憶部から取得し、以降のチャンネルサーチは、国別帯域幅記憶部から取得した帯域幅だけを対象に複数のブランチでダイバーシティを構成してチャネルサーチを行うこともできる。
【０１０１】
すなわち、これによって、ＤＴＶ受信機１の所在位置では受信できない国の帯域幅を用いてチャンネルサーチを無駄に行わずに、ＤＴＶ受信機１の所在位置で受信可能な国の帯域幅だけを用いてチャンネルサーチを行うことができ、チャンネルサーチの効率を向上させることが可能になる。
【０１０２】
さらに、チャンネルサーチに用いる帯域幅を厳選できるので、全種の帯域幅ごとにチャンネルサーチを実行する場合よりもブランチグループの構成ブランチ数を増加させることも可能になる。
【０１０３】
また、上記の実施例では、サーチ開始周波数４７０ＭＨｚからサーチ終了周波数８６２ＭＨｚまでの周波数帯をサーチする場合について説明したが、必ずしもこの周波数帯をチャンネルサーチする必要はない。
【０１０４】
例えば、予め国別に周波数サーチ範囲を記憶する国別サーチ範囲記憶部をＤＴＶ制御用マイコン１００に設けておき、番組情報取得部１３によってＰＳＩまたはＳＩから国情報が取得された時点で当該国に対応するサーチ範囲を国別サーチ範囲記憶部から取得し、以降のチャンネルサーチは、国別サーチ範囲記憶部から取得したサーチ範囲の周波数帯だけを対象にチャネルサーチを行うこともできる。
【０１０５】
すなわち、これによって、放送局が存在しない周波数帯をチャンネルサーチせずに、放送局が存在する周波数帯だけを対象にチャンネルサーチを行うことができ、サーチ開始周波数４７０ＭＨｚからサーチ終了周波数８６２ＭＨｚまでの周波数帯をサーチする場合よりもサーチ範囲を短縮できる結果、チャンネルサーチの効率を向上させることが可能になる。
【０１０６】
なお、上記の実施例では、グルーピング処理部１３０が行うグループ分けとして、４つ、２つまたは１つのブランチグループにグルーピングする場合について説明したが、当然のことながら３つのブランチグループにグルーピングすることができ、また、ブランチグループを構成するブランチおよび構成ブランチ数は任意であることは言うまでもない。
【０１０７】
また、上記の実施例では、ＵＨＦ帯の放送チャンネルをサーチする場合について説明したが、本発明はこれに限定されるものではなく、他の周波数帯の放送チャンネルをサーチする場合にも同様に適用できる。
【０１０８】
なお、上記の実施例では、ＤＴＶ受信機に本発明を適用する場合について説明したが、本発明はこれに限定されるものではなく、デジタルラジオ受信機、携帯電話、無線機、無線ＬＡＮ（Local  Area  Network）機器等の受信機全般に対して適用することができる。
【産業上の利用可能性】
【０１０９】
以上のように、本発明に係る受信装置及びその放送チャンネル検出方法は、ユーザからの国指定がなくともチャンネルサーチを自動的に行うに適している。
【符号の説明】
【０１１０】
１    ＤＴＶ受信機
１０，２０，３０，４０    ブランチ
１１，２１，３１，４１    ＲＦ／ＩＦ部
１２，２２，３２，４２    復調部
１３，２３，３３，４３    番組情報取得部
５０    ダイバ切替部
６０    デコーダ
１００    ＤＴＶ制御用マイコン
１１０    プリセット情報記憶部
１２０    スケジュール情報記憶部
１３０    グルーピング処理部
１４０    サーチ制御部
１５０    プリセット制御部
３    ＡＶＮ
【図１】
2010283531.tif 000003
【図２】
2010283531.tif 000004
【図３】
2010283531.tif 000005
【図４】
2010283531.tif 000006
【図５】
2010283531.tif 000007
【図６】
2010283531.tif 000008
【図７】
2010283531.tif 000009
【図８】
2010283531.tif 000010
【図９】
2010283531.tif 000011